【事件の表示】
　特願２０１２−　５２６２７「プリンターの制御方法およびプリンター」拒絶査定不服審判事件〔平成２５年　９月１９日出願公開，特開２０１３−１８４４１６，請求項の数（５）〕について，次のとおり審決する。
【結　論】
　原査定を取り消す。
　本願の発明は，特許すべきものとする。
【理　由】
　第１　手続の経緯
　本願は，平成２４年３月９日の出願であって，平成２７年２月１２日付けで手続補正がされ，同年１２月２８日付けで拒絶理由通知がされ，平成２８年２月２２日付けで手続補正がされ，同年７月１１日付けで拒絶査定（原査定）がされ，これに対し，同年１０月１７日に拒絶査定不服審判の請求がされると同時に手続補正がされたものである。
　第２　原査定の概要
　原査定（平成２８年７月１１日付け拒絶査定）の概要は次のとおりである。
　１．本願請求項１−５に係る発明は，以下の引用文献１及び２に基づいて，その発明の属する技術の分野における通常の知識を有する者（以下，「当業者」という。）が容易に発明できたものであるから，特許法第２９条第２項の規定により特許を受けることができない。
　引用文献等一覧
　１．特開２００６−１５９８０８号公報
　２．特開２０１１−９７１７１号公報
　第３　本願発明
　本願請求項１乃至５に係る発明（以下，それぞれ「本願発明１」乃至「本願発明５」という。）は，平成２８年１０月１７日付けの手続補正で補正された特許請求の範囲の請求項１乃至５に記載された事項により特定される発明であり，以下のとおりの発明である。
　「【請求項１】
　印刷動作を含む処理動作を行うことが可能な動作モードから当該動作モードよりも消費電力の少ない省電力モードに稼動状態が切り替わると，前記稼動状態が前記省電力モードであることを示す省電力モード情報を表示部に表示するとともにスイッチの操作による入力を監視し，前記スイッチの操作による入力に基づいて前記稼動状態を前記省電力モードから前記動作モードに復帰させるプリンターの制御方法であって，
　前記表示部に前記省電力モード情報が表示されているときに前記スイッチの操作による入力が検出されると，前記稼動状態を前記省電力モードに維持したままで前記表示部の表示を前記省電力モード情報からステータスに切り替え，
　前記表示部に前記ステータスが表示されているときに前記スイッチの操作による入力が検出されると，前記稼動状態を前記省電力モードから前記動作モードに切り替え，
　前記稼動状態が前記省電力モードから前記動作モードに切り替わると，前記表示部に前記ステータスが表示されているときに検出された前記入力に基づく処理動作を行い，
　前記省電力モード情報を第１表示形態によって前記表示部に表示し，前記ステータスを前記第１表示形態とは異なる第２表示形態によって前記表示部に表示し，
　前記第１表示形態による前記表示部の消費電力は，前記第２表示形態による前記表示部の消費電力以下であることを特徴とするプリンターの制御方法。
　　【請求項２】
　請求項１において，
　前記表示部の表示が前記省電力モード情報から前記ステータスに切り替わると，前記表示部の表示が前記ステータスとなってからの経過時間を計測しており，
　前記経過時間が予め設定した設定時間を越えるまでの間に前記スイッチの操作による入力が新たに検出されない場合には，前記表示部の表示を前記ステータスから前記省電力モード情報に戻し，
　前記表示部に前記省電力モード情報が表示されているときに前記スイッチの操作による入力が検出されると，前記稼動状態を前記省電力モードに維持したままで前記表示部の表示を前記省電力モード情報から前記ステータスに切り替えることを特徴とするプリンターの制御方法。
　　【請求項３】
　印刷動作を含む処理動作を行うことが可能な動作モードと当該動作モードよりも消費電力の少ない省電力モードとの間で稼動状態を切り替えるプリンターにおいて，
　表示部と，
　スイッチと，
　前記省電力モードにおいて前記スイッチの操作による入力を監視している監視部と，
　前記稼動状態が前記動作モードから前記省電力モードに切り替わると前記表示部に当該稼動状態が当該省電力モードであることを示す省電力モード情報を表示するとともに，前記省電力モードのときに前記スイッチの操作による入力が検出されると前記省電力モード情報に替えて前記表示部にステータスを表示する表示制御部と，
　前記省電力モードにおいて前記表示部に前記省電力モード情報が表示されているときに前記スイッチの操作による入力が検出された場合には前記稼動状態を当該省電力モードに維持し，前記省電力モードにおいて前記表示部に前記ステータスが表示されているときに前記スイッチの操作による入力が検出された場合には前記稼動状態を当該省電力モードから前記動作モードに切り替える稼動状態制御部と，
　前記省電力モードにおいて前記表示部に前記省電力モード情報が表示されているときに前記スイッチの操作による入力が検出された場合には当該入力に基づく処理動作を行わず，前記省電力モードにおいて前記表示部に前記ステータスが表示されているときに前記スイッチの操作による入力が検出された場合には前記稼動状態が当該省電力モードから前記動作モードに切り替えられた後に当該入力に基づく処理動作を行う処理部と，を備え，
　前記表示制御部は，前記省電力モード情報を第１表示形態によって前記表示部に表示し，前記ステータスを前記第１表示形態とは異なる第２表示形態によって前記表示部に表示し，
　前記第１表示形態による前記表示部の消費電力は，前記第２表示形態による前記表示部の消費電力以下であることを特徴とするプリンター。
　　【請求項４】
　請求項３において，
　前記省電力モードにおいて前記表示部の表示が前記省電力モード情報から前記ステータスに切り替わると，前記表示部の表示が前記ステータスとなってからの経過時間を計測するタイマーを有し，
　前記表示制御部は，前記経過時間が予め設定した設定時間を越えるまでの間に前記スイッチの操作による入力が新たに検出されない場合には，前記表示部の表示を前記ステータスから前記省電力モード情報に戻すことを特徴とするプリンター。
　　【請求項５】
　請求項３において，
　前記表示部は，１つまたは複数のＬＥＤを備え，
　前記第１表示形態は，全てのＬＥＤの消灯，或いは，１つのＬＥＤの点灯であることを特徴とするプリンター。」
　第４　引用文献，引用発明等
　１．引用文献１について
　原査定の拒絶の理由に引用された引用文献１には，図面とともに次の事項が記載されている。
　ア　「【０００９】
　
本発明では
プリンタの省電力制御方法を提供する
　イ　「【００１４】
　以下に図面に基づいて本発明の実施例を具体的に説明する。本実施例では対象とする機器をプリンタとして説明する。また
プリンタの通常の電力状態を「通常電力モード」，省電力状態を「省電力モード」とし，省電力モードのうち全体的に省電力状態に移行する場合を「全省電力モード」，プリンタの印刷機構のみを省電力状態に移行する場合を「半省電力モード」と定義する。
【００１５】
　
図１は本発明を実施する機器の基本的構成を示すブロック図である。１は印刷指示などの機器の各種の機能の実行指示を行うための操作部である。操作部１は複数個のキー，ボタン，スイッチなどから構成される。２は機器の状態や各種の操作結果を使用者に通知するための表示部である。表示部２は液晶パネル，ＬＥＤなどで構成される。
【００１６】
　
３はホスト機器との通信を行う通信部である。
４は機器の各機能の実行を行う制御部である。
【００１７】
　
５は記憶装置の一種であるＲＯＭである。
６は記憶装置の一種であるＲＡＭである。
【００１８】
　
７は経過時間を計測するタイマーである。
８は印刷を実行する印刷部である。
　ウ　「【００１９】
　
図２は本発明に係わる機器の全省電力モード時の状態の一例を示す図である。１１〜１８の各ブロックは図１の１〜８の各ブロックと同じものを意味しており，図１を通常電力モードの状態であるとした時に対して，全省電力モード時の状態を示す図である。
背景が白色であるブロックは供給される電力のままのフルパワー状態，背景が薄い灰色であるブロックは一部もしくは全部が省電力状態である省電力状態，背景が濃い灰色であるブロックは電力が供給されていない状態である電力オフ状態をそれぞれ示している。
【００２０】
　
通常電力モード時には図１に示すように全ブロックがフルパワー状態である。全省電力モード時には図２に示すように操作部１１，タイマー１７ではフルパワー状態，表示部１２，通信部１３，制御部１４，ＲＡＭ１６では省電力状態，ＲＯＭ１５，印刷部１８では電力オフ状態になっている。
表示部１２が省電力状態なのは，使用者に対し現在の機器の状態を示すためである。
　エ　「【００２１】
　
図３は本発明に係わる機器の半省電力モード時の状態の一例を示す図である。
１９に示す印刷部以外の状態は図１の通常電力モードと同様な状態になっている。印刷部１９だけが電力オフ状態になっている
　オ　「【００２２】
　図４は本発明に係わる機器の操作パネルの一例を示す図である。
操作パネルは
２１は機器の現在の状態やメニューなどを文字や記号で表示する液晶パネルである。２２は使用者に対する警告が表示されている時に点滅するメッセージ用のＬＥＤである。このＬＥＤは機器が省電力モードである時には点灯し，省電力モードであることを示す役割も持っている。
　カ　「【００２４】
　
図５は本発明に係わる機器の制御手順の概略を示すフローチャートである。使用者がプリンタ機器の電源スイッチをオンにした場合に図５のフローチャートの処理が開始する。
【００２５】
　ステップＳ１０３では機器に対する使用者からの指示があるかどうかを調べる。具体的には通信部３においてホスト機器との通信回線にデータが着信しているかを調べたり，操作部１から入力操作が行われているかを調べたりする。調べた結果，受信したデータ情報や押下されているボタン情報はその内容をＲＡＭ６内のバッファに保持する。ステップＳ１０４ではステップＳ１０３での処理結果を調べ，使用者からの指示があったならばステップＳ１０５へ進み，そうでなかったならばステップＳ１０９へ進む。ステップＳ１０５ではステップＳ１０３での処理結果を調べ，使用者からの指示が電源ボタンの押下であったならばステップＳ１１０へ進み，そうでなかったならばステップＳ１０６へ進む。
使用者からの指示が電源ボタンの押下である場合は強制的に全省電力モードへと移行する。
【００２６】
　ステップＳ１０６ではステップＳ１０３でＲＡＭ６内のバッファに保持したデータもしくはボタン入力を調べ，その要求内容に従ってプリンタの各種の処理を実行する。ステップＳ１０７ではステップＳ１０６での処理内容を調べ，印刷処理を行うものであった場合にはステップＳ１０８へ進み，そうでなかったならばステップＳ１０９へ進む。ステップＳ１０８ではタイマー７におけるカウンタの値を初期値０に設定し，その後ステップＳ１０３へ戻り処理を繰り返す。
このカウンタはプリンタの印刷処理が停止してからの時間を計測している
タイマー７におけるカウンタの値が一定の値を超えているかどうかを調べ，超えている場合はステップＳ１１０へ進み，
【００２７】
　
本実施例の機器では通常電力モードにおいて印刷処理がある一定時間ない場合に全省電力モードに移行するとする。
ステップＳ１１０では印刷部８への電源供給を遮断し，停止処理をする。本機器では省電力効率を上げるために最も電力消費の高い印刷部への電力供給を停止することとする。状態としてはこの段階で図３に示す半省電力モードの状態になる。
【００２８】
　
ステップＳ１１１では機器の状態を通常電力モードから全省電力モードへ移行するように制御する。
通信部３を介してのホスト機器側からのデータの受信や，使用者による操作部１の操作などのイベントが発生すると，割り込み信号が発生してステップＳ１１２以降の処理へ遷移する。ステップＳ１１２では機器の状態を全省電力モードから半省電力モードへ移行するように制御する。
【００２９】
　
ステップＳ１１３ではステップＳ１１１で発生した割り込み信号から発生したイベントの内容を調べ，その要求内容に従ってプリンタの各種の処理を実行する。ステップＳ１１４ではステップＳ１１１で発生した割り込み信号から発生したイベントの内容を調べ，それが使用者による操作部１の操作であればステップＳ１１５へ進み，それ以外
であったならばステップＳ１１７へ進む。ステップＳ１１５では通信部３あるいは操作部１からの次のイベントの発生を一定時間待つ。
【００３０】
　
ステップＳ１１６ではステップＳ１１５で次のイベントが発生したかどうかを調べ，発生したならばステップＳ１１７へ進み，そうでなかったならばステップＳ１１１へ戻る。ステップＳ１１７では印刷部８への電力供給を開始し，起動する。この結果，機器の状態が半省電力モードから通常電力モードへ移行する。
　上記の各摘記事項から，引用文献１には以下の技術事項が記載されていると認められる。
　（ア）
　・プリンタの省電力制御方法に係る発明が記載されている。
　（イ）
　・プリンタの基本的構成は，操作部，表示部，通信部，制御部，ＲＯＭ，ＲＡＭ，タイマー，印刷部である。
　・電力モードには，通常電力モード，省電力モードがある。省電力モードは，全省電力モードと半省電力モードからなる
　・通常の電力状態は「通常電力モード」，プリンタの基本的構成を全体的に省電力状態とするのは「全省電力モード」，プリンタの基本的構成のうちプリンタの印刷機構のみを省電力状態とするのは「半省電力モード」である。
　（ウ）
　・プリンタの各基本的構成において，供給される電力のままであるのをフルパワー状態，供給される電力の一部もしくは全部が省電力状態であるのを省電力状態，電力が供給されていない状態を電力オフ状態とする。
　・通常電力モード時は，プリンタの基本的構成の全てがフルパワー状態である。
　・全省電力モード時は，プリンタの基本的構成のうち，操作部，タイマーがフルパワー状態，表示部，通信部，制御部，ＲＡＭが省電力状態，ＲＯＭ，印刷部が電力オフ状態である。
　・表示部は，全省電力モード時に，供給される電力の一部もしくは全部が省電力状態である省電力状態となっているが，これは，使用者に対し現在の機器の状態を示すためである。
　（エ）
　・半省電力モード時は，プリンタの基本的構成のうち，印刷部だけが電力オフ状態であって，それ以外は通常電力モードと同様な状態，つまりフルパワー状態である。
　（オ）
　・操作パネルは表示部と，操作部から構成される。
　・表示部のうち，液晶パネルは機器の現在の状態やメニューなどを文字や記号で表示するものであり，メッセージ用のＬＥＤは使用者に対する警告が表示されている時に点滅するものである。
　・メッセージ用のＬＥＤは機器が省電力モードである時には点灯し，省電力モードであることを示す役割も持っている。
　（カ）
　・使用者からの指示が電源ボタンの押下の場合も，プリンタの印刷処理が停止してからの時間を計測するタイマー７のカウンタの値が一定の値を超えた場合も，図５のフローチャートにおけるステップＳ１１０へ進み，このステップ１１０は，印刷部８への電源供給を遮断し，停止処理をするものであって，プリンタの電力モードとしては半省電力モードの状態である。
　・ステップ１１０を経て，ステップＳ１１１に進むと，プリンタの電力モードは半省電力モードから全省電力モードに移行する。
　・全省電力モード時に，ホスト機器側からのデータの受信や，使用者による操作部の操作などのイベントが発生すると，プリンタの電力モードは全省電力モードから半省電力モードへ移行する。
　・全省電力モード時に発生したイベントが，使用者による操作部の操作であれば，ステップＳ１１５へ進む，つまり次のイベントの発生を一定時間待ち，ホスト機器側からのデータの受信を含む使用者による操作部の操作以外のイベントであれば，ステップＳ１１７に進む，つまり印刷部を起動する。
　・次のイベントの発生を待つ一定時間の間に，次のイベントが発生すればステップＳ１１７へ進む，つまり印刷部を起動し，プリンタの電力モードは半省電力モードから通常電力モードへ移行する。
　・次のイベントの発生を待つ一定時間の間に，次のイベントが発生しなければステップＳ１１１へ戻る，つまりプリンタの電力モードは半省電力モードから全省電力モードへ移行する。
　したがって，上記引用文献１には次の発明（以下，「引用発明１」という。）が記載されていると認められる。
　「印刷指示などの機器の各種の機能の実行指示を行うための複数個のキー，ボタン，スイッチなどから構成される操作部と，
　機器の状態や各種の操作結果を使用者に通知するための液晶パネル，ＬＥＤなどで構成される表示部と，
　ホスト機器との通信を行う通信部と，
　機器の各機能の実行を行う制御部と，
　記憶装置の一種であるＲＯＭと，
　記憶装置の一種であるＲＡＭと，
　経過時間を計測するタイマーと，
　印刷を実行する印刷部と，を基本的構成とするプリンタにおいて，
　通常電力モード時は全てがフルパワー状態であり，
　全省電力モード時は，操作部，タイマーがフルパワー状態，表示部，通信部，制御部，ＲＡＭが省電力状態，ＲＯＭ，印刷部が電力オフ状態になっており，
　半省電力モード時は，操作部，タイマー，表示部，通信部，制御部，ＲＡＭ，ＲＯＭがフルパワー状態，印刷部が電力オフ状態になっており，
　液晶パネルは，機器の現在の状態やメニューなどを文字や記号で表示するためのものであって，全省電力モード時において電力オフ状態ではなく省電力状態であるため，使用者に対し現在の機器の状態を示すことができ，
　ＬＥＤは，使用者に対する警告が表示されている時に点滅するメッセージ用のＬＥＤであって，機器が省電力モードである時には点灯し，省電力モードであることを示すものであって
　電源オン状態で通常電力モードの時に電源ボタンを押下する，もしくは，プリンタの印刷処理が停止してからの時間を計測するカウンタの値が一定の値を超えると，印刷部への電源供給を遮断し，停止処理を行うことで半省電力モードとした後に，全省電力モードへ移行し，
　ホスト機器側からのデータの受信や，使用者による操作部の操作などのイベントが発生すると，割り込み信号が発生して，全省電力モードから半省電力モードへ移行するように制御され，
　発生したイベントの内容が使用者による操作部の操作であれば，操作部からの次のイベントの発生を一定時間待ち，イベントが発生しなければ全省電力モードへ戻り，
　発生したイベントの内容が使用者による操作部の操作であって，操作部からの次のイベントの発生が一定時間内にあった場合，又は発生したイベントの内容が使用者による操作部の操作以外であった場合には，印刷部への電力供給を開始し，起動して，半省電力モードから通常電力モードへ移行する，プリンタの省電力制御方法。」
２．引用文献２について
　原査定の拒絶の理由に引用された引用文献２には，図面とともに次の事項が記載されている。
　キ　「【０１０５】
　［動作］
　以上のような構造およびフローチャートに基づく，本実施の形態に係る画像形成装置１５０の動作について，図１０〜図１２に示す表示パネル１７２の表示例を用いて説明する。なお，
画像形成装置１５０の表示パネル１７２における初期画面は，上述した第１の実施の形態における図８に示す画面である。
【０１０６】
　
図８に示す画面が表示されている状態で，操作パネル１７０のハードウェアキーまたはタッチパネル型の表示パネル１７２をユーザが押下しない状態で（Ｓ１０００にてＮＯ），予め定められた時間が経過すると（Ｓ１０１０にてＹＥＳ），非省エネモードから省エネモードへ移行して，定着装置２３４への電力供給が停止されるとともに，表示パネル１７２にスクリーンセーバが表示される（Ｓ１０２０）。
　ク　「【０１０７】
　図１０に示すように
表示パネル１７２には，
「省エネモードで実行可能な処理を行なう場合にはこちらをタッチ」と表示されている。この「こちらをタッチ」の部分が特定キーの部分である。
【０１０８】
　この図１０に示す
特定キーをユーザが押下すると（Ｓ１０３０にてＹＥＳ），画像形成装置１５０は，省エネモードを維持した状態で，省エネモードで実行可能な機能を選択する画面を，表示パネル１７２に表示する（Ｓ２０００）。
　ケ　「【０１０９】
　この図１１に示す表示パネル１７２の画面は，コピーモードが選択されている場合の画面例であって，図１２に示す表示パネル１７２の画面は，ＦＡＸモード（ファクス／イメージ送信モード）が選択されている場合の画面例である。これらの図においては，選択されているモードの選択ボタンが二重枠線で示されている。なお，図１１に示すコピーモードにおいては，記録用紙に画像を形成する機能（印刷機能）は，選択することも実行することもできない。また，これらの図に示すように，
表示パネル１７２には，「復帰」ボタンが表示されている。
【０１１０】
　これらの図１１および図１２に示すいずれかの機能をユーザが選択すると（Ｓ２０１０にてＹＥＳ），省エネモードで（省エネモードを維持した状態）で，選択された機能を実行する（Ｓ２０２０）。
【０１１１】
　これらの図１１または図１２に示す
「復帰」ボタンをユーザが押下すると（Ｓ２０３０にてＹＥＳ），画像形成装置１５０は，省エネモードで（省エネモードを維持した状態）で，スクリーンセーバを，表示パネル１７２に表示する（Ｓ１０２０）。
「復帰」ボタンをユーザが押下しない状態で予め定められた時間が経過すると，画像形成装置１５０は，省エネモードで，図１０に示す画面に移行するようにしても構わない。
　コ　「【０１１２】
　一方，図１０に示す
特定キー以外をユーザが押下すると（Ｓ１０４０にてＹＥＳ），画像形成装置１５０は，省エネモードを解除して定着装置２３４への電力供給を再開して，ログイン画面を表示パネル１７２に表示する（Ｓ１０７０）。
　上記の各摘記事項から，引用文献２には以下の技術事項が記載されていると認められる。
　（キ）
　・操作パネル１７０のハードウェアキーまたはタッチパネル型の表示パネル１７２をユーザが押下しない状態で予め定められた時間が経過する，つまり，一定時間操作がなされないと，画像形成装置１５０の表示パネル１７２に表示されていた初期画面に替わって，図１０に示されるスクリーンセーバーが表示される。
　・画像形成装置１５０の表示パネル１７２にスクリーンセーバが表示されるときは，画像形成装置１５０は，非省エネモードから省エネモードへ移行して，定着装置２３４への電力供給が停止される。
　（ク）
　・図１０に示す表示パネル１７２，つまりスクリーンセーバが表示される表示パネル１７２には「こちらをタッチ」を含む表示があり，「こちらをタッチ」の部分が，特定キーである。
　・特定キーをユーザが押下すると，図１１および図１２に示す省エネモードで実行可能な機能を選択する画面を表示パネル１７２に表示する。
　・省エネモードで実行可能な機能を選択する画面を表示している間も，省エネモードは維持されている。
　（ケ）
　・図１１および図１２に示す省エネモードで実行可能な機能を選択する画面には，「復帰」ボタンが表示されている。
　・「復帰」ボタンをユーザが押下すると，画像形成装置１５０は，省エネモードで実行可能な機能を選択する画面に替えて，スクリーンセーバを，表示パネル１７２に表示する。
　・「復帰」ボタンをユーザが押下して，スクリーンセーバを，表示パネル１７２に表示されても，省エネモードは維持されている。
　・省エネモードで実行可能な機能を選択する画面が表示された状態で，「復帰」ボタンをユーザが一定時間押下しないと，スクリーンセーバを，表示パネル１７２に表示するようにしてもよい。
　（コ）
　・図１０に示す特定キー以外，つまりスクリーンセーバ内の特定キー以外の領域をユーザが押下すると，画像形成装置１５０は，省エネモードを解除して定着装置２３４への電力供給を再開して，ログイン画面を表示パネル１７２に表示する。
　したがって，上記引用文献２には次の発明（以下，「引用発明２」という。）が記載されていると認められる。
　「画像形成装置の表示パネルには初期画面が表示され，該画面が表示されている状態で，操作パネルのハードウェアキーまたはタッチパネル型の表示パネルをユーザが押下しない状態で，予め定められた時間が経過すると
　非省エネモードから省エネモードへ移行して，定着装置への電力供給が停止されるとともに，表示パネルにスクリーンセーバが表示され，該スクリーンセーバ内には，特定キーが表示されており，
　該特定キーをユーザが押下すると，画像形成装置は，省エネモードを維持した状態で，省エネモードで実行可能な機能を選択する画面を，表示パネルに表示し，その際表示パネルには，「復帰」ボタンが表示されており，
　いずれかの機能をユーザが選択すると，省エネモードで（省エネモードを維持した状態）で，選択された機能を実行し，
　「復帰」ボタンをユーザが押下すると，画像形成装置は，省エネモードで（省エネモードを維持した状態）で，スクリーンセーバを，表示パネルに表示し，
　「復帰」ボタンをユーザが押下しない状態で予め定められた時間が経過すると，画像形成装置は，省エネモードで，スクリーンセーバを示す画面に移行し，
　スクリーンセーバを表示した状態で，特定キー以外をユーザが押下すると，画像形成装置は，省エネモードを解除して定着装置への電力供給を再開して，ログイン画面を表示パネルに表示する，画像形成装置。」
　第５　対比・判断
　１．本願発明１について
（１）対比
　本願発明１と引用発明１とを対比する。
　後者の「プリンタ」は，前者の「プリンター」に相当する。
　後者の「プリンタの省電力制御方法」は，前者における「プリンターの制御方法」が，省電力に係る制御方法であるので，前者の「プリンターの制御方法」に相当する。
　後者の「操作部」は，スイッチを含むものであるから，前者の「スイッチ」に相当する。
　後者の「通常電力モード」が，前者の「動作モード」に，前者の「省電力モード」が，後者の「省電力モード」に相当することは自明である。
　後者の表示部の「ＬＥＤ」は，機器が省電力モードである時には点灯し，省電力モードであることを示すことができ，後者の表示部の「液晶パネル」は，機器の現在の状態やメニューなどを文字や記号で表示するためのものであって，全省電力モード時においても使用者に対し現在の機器の状態を示すことができるのであるから，後者のＬＥＤ及び液晶パネルを含めた「表示部」は，前者の「表示部」に相当し，該「液晶パネル」における機器の現在の状態やメニューの表示は，前者の「ステータス」の表示に相当することは自明である。
　後者において「液晶パネル」は，機器の現在の状態やメニューなどを文字や記号で表示するためのものであって，全省電力モード時においても使用者に対し現在の機器の状態を示すことを踏まえると，前者の「ステータス」の表示に相当する表示は，常時行われているといえる。
　後者において，全省電力モード中に使用者による操作部の操作などのイベントが発生すると，割り込み信号が発生するのであるから，前者は，後者の「（省電力モード中の）スイッチの操作による入力を監視」するに相当する構成を有していることは自明である。
　後者において，「省電力モード」は「全省電力モード」と「半省電力モード」を有するものであるが，「全省電力モード」と「半省電力モード」も，「省電力」の度合いに差があるとしても，「通常電力モード」に比べて「省電力」となっていることは自明であり，「全省電力モード」から「半省電力モード」へ，又，「半省電力モード」から「全省電力モード」へ移行した場合であっても，「省電力モードに維持したまま」といえる。
　後者において，全省電力モード中に使用者による操作部の操作などのイベントが発生し，さらに操作部からの次のイベントの発生が一定時間内にあった場合，印刷部８への電力供給を開始し，起動して，通常電力モードへ移行するのであるから，後者は，前者の「スイッチの操作による入力に基づいて稼動状態を省電力モードから動作モードに復帰」させるに相当する構成を有していることは自明である。
　後者において，省電力モードであることを表示部のメッセージ用のＬＥＤの点灯で表示し，ステータスに相当する情報を表示部の液晶パネルで表示しているから，「省電力モード情報を第１表示形態によって表示部に表示し，ステータスを第１表示形態とは異なる第２表示形態によって前記表示部に表示」しているといえる。
　したがって，本願発明１と引用発明１との間には，次の一致点，相違点があるといえる。
　（一致点）
　「印刷動作を含む処理動作を行うことが可能な動作モードから当該動作モードよりも消費電力の少ない省電力モードに稼動状態が切り替わると，前記稼動状態が前記省電力モードであることを示す省電力モード情報を表示部に表示するとともにスイッチの操作による入力を監視し，前記スイッチの操作による入力に基づいて前記稼動状態を前記省電力モードから前記動作モードに復帰させるプリンターの制御方法であって，
　前記表示部に前記省電力モード情報が表示されているときに前記スイッチの操作による入力が検出されると，前記稼動状態を前記省電力モードに維持し，
　前記表示部に前記ステータスが表示されているときに前記スイッチの操作による入力が検出されると，前記稼動状態を前記省電力モードから前記動作モードに切り替え，
　前記稼動状態が前記省電力モードから前記動作モードに切り替わると，前記表示部に前記ステータスが表示されているときに検出された前記入力に基づく処理動作を行うプリンターの制御方法。」
　（相違点）
　（相違点１）表示部の表示に関して，本願発明１は「表示部に省電力モード情報が表示されているときにスイッチの操作による入力が検出されると，稼動状態を前記省電力モードに維持したままで前記表示部の表示を省電力モード情報からステータスに切り替え」るのに対し，引用発明１は表示部の表示を省電力モード情報からステータスに切り替えるかに関して不明である点。
　（相違点２）表示部の表示に関して，本願発明１は，「省電力モード情報を第１表示形態によって表示部に表示し，ステータスを前記第１表示形態とは異なる第２表示形態によって前記表示部に表示」することを発明特定事項としているものである。これに対して，引用発明１は，液晶パネルが機器の現在の状態（ステータスに相当する。）を表示し，ＬＥＤが省電力モードであることを表示しており，引用発明１のＬＥＤの表示が第１表示形態に，液晶パネルの表示が第２表示形態に相当するとすれば，形式的には本願発明１の上記の発明特定事項は，引用発明１においても備わっているとみることができる。しかしながら，実質的にみると，上記相違点１において述べたように，本願発明１の第１表示形態と第２表示形態は切り替えて表示されるものであるから，この前提において，引用発明１が上記の本願発明１の発明特定事項を備えているかに関して不明である点。
　（相違点３）本願発明１は「第１表示形態による表示部の消費電力は，第２表示形態による表示部の消費電力以下」であるのに対し，引用発明１は，その点が明らかではない点。
（２）相違点についての判断
　上記相違点３について検討すると，相違点３に係る本願発明１の「第１表示形態による表示部の消費電力は，第２表示形態による表示部の消費電力以下」であるという発明特定事項は，引用文献１及び２には記載されておらず，本願出願日前において周知技術であるともいえず，また当業者にとって設計的事項とする根拠もない。
　そして，本願発明１は上記発明特定事項を備えることによって，「省電力モードにおける電力の消費をより抑制することが可能となる」という顕著な効果を奏するものである。（本願明細書，段落【００１３】参照。）
　したがって，上記相違点１及び２について判断するまでもなく，本願発明１は，当業者であっても引用発明１及び２に基づいて容易に発明できたものであるとはいえない。
　２．本願発明２について
　本願発明２は，本願発明１の「第１表示形態による表示部の消費電力は，第２表示形態による表示部の消費電力以下」と同一の発明特定事項を備え，さらに他の発明特定事項を限定したものであるから，本願発明１と同じ理由により，当業者であっても，引用発明１及び２に基づいて容易に発明できたものであるとはいえない。
　３．本願発明３について
　本願発明３は装置に係る発明であって，本願発明１の「第１表示形態による表示部の消費電力は，第２表示形態による表示部の消費電力以下」という発明特定事項と，実質的に同一の発明特定事項を備えるものであるから，本願発明１と同じ理由により，当業者であっても，引用発明１及び２に基づいて容易に発明できたものであるとはいえない。
　４．本願発明４及び５について
　本願発明４及び５は，本願発明３の「第１表示形態による表示部の消費電力は，第２表示形態による表示部の消費電力以下」と同一の発明特定事項を備え，さらに他の発明特定事項を限定したものであるから，本願発明３と同じ理由により，当業者であっても，引用発明１及び２に基づいて容易に発明できたものであるとはいえない。
　第６　原査定について
　審判請求時の補正により，本願発明１乃至５は「第１表示形態による表示部の消費電力は，第２表示形態による表示部の消費電力以下」という発明特定事項を有するものとなっており，当業者であっても，拒絶査定において引用された引用文献１及び２に基づいて，容易に発明できたものとはいえない。したがって，原査定の理由を維持することはできない。
　第７　むすび
　以上のとおり，原査定の理由によっては，本願を拒絶することはできない。
　また，他に本願を拒絶すべき理由を発見しない。
　よって，結論のとおり審決する。